(57)【要約】      （修正有）【課題】従来、並列接地電極の集合係数と、間隔及び等価半径に関連する集合係数を正確に推定することは極めて困難であった。【解決手段】本発明の並列接地電極の集合係数表示グラフにおいては、対数座標のグラフの横軸と縦軸の何れか一方例えば横軸の目盛１〜100を、１／αの値として用い（ここでαはｒ／ｄ、ｄは電極間隔、ｒは等価半径）、何れか他方例えば縦軸の目盛0.01〜４に１を加えた値を集合係数ηの値として用い、横軸の値100と縦軸の値1.01との座標点と、横軸の値１と縦軸の値２との座標点とを結んだ直線によって並列接地電極数が２のときのηとαとの対応を示すようにする。また、同じく横軸の目盛１〜100の１／２の値を１／αの値として用い、横軸の値10と縦軸の値1.166との座標点と、横軸の値２と縦軸の値1.545との座標点とを結んだ直線によって並列接地電極数が３のときのηとαとの対応を示すようにする。【選択図】  図１
2004206592.tif 000002
【特許請求の範囲】
【請求項１】
対数座標のグラフの横軸と縦軸の何れか一方例えば横軸の目盛１〜100を、１／αの値として用い（ここでαはｒ／ｄ、ｄは電極間隔、ｒは等価半径）、何れか他方例えば縦軸の目盛0.01〜4に1を加えた値を集合係数ηの値として用い、横軸の値100と縦軸の値1.01との座標点と、横軸の値１と縦軸の値２との座標点とを結んだ直線によって並列接地電極数が２のときのηとαとの対応を示すようにしたことを特徴とする並列接地電極の集合係数表示グラフ。
【請求項２】
対数座標のグラフの横軸と縦軸の何れか一方例えば横軸の目盛１〜100の１／２の値を１／αの値として用い（ここでαはｒ／ｄ，ｄは電極間隔、ｒは等価半径）、何れか他方例えば縦軸の目盛0.01〜４に１を加えた値を集合係数ηの値として用い、横軸の値10と縦軸の値1.166との座標点と、横軸の値２と縦軸の値1.545との座標点とを結んだ直線によって並列接地電極数が３のときのηとαとの対応を示すようにしたことを特徴とする並列接地電極の集合係数表示グラフ。
【請求項３】
対数座標のグラフの横軸と縦軸の何れか一方例えば横軸の目盛１〜100の１／３の値を１／αの値として用い（ここでαはｒ／ｄ、ｄは電極間隔、ｒは等価半径）、何れか他方例えば縦軸の目盛0.01〜４に１を加えた値を集合係数ηの値として用い、横軸の値10と縦軸の値1.215との座標点と、横軸の値３と縦軸の値1.705との座標点とを結んだ直線によって並列接地電極数が４のときのηとαとの対応を示すようにしたことを特徴とする並列接地電極の集合係数表示グラフ。
【発明の詳細な説明】
【０００１】
【発明の属する技術分野】
本発明は並列接地電極の集合係数表示グラフ、特に、並列接地電極の数と、電極間距離及び電極の等価半径から集合係数を直読できるようにしたグラフに関するものである。
【０００２】
【従来の技術】
接地抵抗の電圧波及間隔等を計算した対数グラフは既知である（例えば特許文献１）。
【０００３】
【特許文献１】
特開２００１−１４８２７４号公報（第４，６，９頁、図３，図５，図８，図１１）。
【０００４】
従来、電力、通信用施設の誘導防止策用接地工事等において、着工に先立って接地抵抗を推定する必要がある。並列接地電極を採用した場合、並列接地電極による合成接地抵抗は電極布設形状に応じた集合係数ηから計算することができる。
【０００５】
並列接地電極の数をｎ、間隔をｄ、等価半径をｒ、ｄ＝ｒ／ｄとすれば電極数が１，２，３の場合ηは夫々数１，数２，数３によって得られる。
【０００６】
【数１】
2004206592.tif 000003
【０００７】
【数２】
2004206592.tif 000004
【０００８】
【数３】
2004206592.tif 000005
【０００９】
これから電極間隔ｄをｒの倍数にとり、即ち１／αの値を２〜10までとった場合のηの変化を見ると表１のようになる。間隔ｄが大きくなると、ηは１に近づいていく。
【００１０】
【表１】
2004206592.tif 000006
【００１１】
然しながら上記表１からは、並列接地電極数と、間隔及び等価半径に関連する集合係数を直読することは困難であり、また、電極間隔ｄの種々の値に対応する集合係数はその都度計算しなければこれを知ることができない。
【００１２】
本発明者はこのような欠点を除くため種々研究の結果、対数座標の横軸と縦軸の何れか一方に電極間隔と等価半径の比に対応する値をとり、何れか他方に集合係数ηに関連する値をとった場合、電極数ｎ毎の集合係数ηの値が互いに略並行な直線上に並ぶことを見出した。
【００１３】
本発明はかかる知見をもとになされたものである。
【００１４】
【課題を解決するための手段】
本発明の並列接地電極の集合係数表示グラフは、対数座標のグラフの横軸と縦軸の何れか一方例えば横軸の目盛１〜100を、１／αの値として用い（ここでαはｒ／ｄ、ｄは電極間隔、ｒは等価半径）、何れか他方例えば縦軸の目盛0.01〜4に1を加えた値を集合係数ηの値として用い、横軸の値100と縦軸の値1.01との座標点と、横軸の値１と縦軸の値２との座標点とを結んだ直線によって並列接地電極数が２のときのηとαとの対応を示すようにしたことを特徴とする。
【００１５】
また、並列接地電極の集合係数表示グラフは、対数座標のグラフの横軸と縦軸の何れか一方例えば横軸の目盛１〜100の１／２の値を１／αの値として用い（ここでαはｒ／ｄ，ｄは電極間隔、ｒは等価半径）、何れか他方例えば縦軸の目盛0.01〜４に１を加えた値を集合係数ηの値として用い、横軸の値10と縦軸の値1.166との座標点と、横軸の値２と縦軸の値1.545との座標点とを結んだ直線によって並列接地電極数が３のときのηとαとの対応を示すようにしたことを特徴とする。
【００１６】
また、並列接地電極の集合係数表示グラフは、対数座標のグラフの横軸と縦軸の何れか一方例えば横軸の目盛１〜100の１／３の値を１／αの値として用い（ここでαはｒ／ｄ、ｄは電極間隔、ｒは等価半径）、何れか他方例えば縦軸の目盛0.01〜４に１を加えた値を集合係数ηの値として用い、横軸の値10と縦軸の値1.215との座標点と、横軸の値３と縦軸の値1.705との座標点とを結んだ直線によって並列接地電極数が４のときのηとαとの対応を示すようにしたことを特徴とする。
【００１７】
【発明の実施の形態】
以下図面によって本発明の実施例を説明する。
【００１８】
本発明においては図１に示すように対数座標の横軸と縦軸の何れか一方、例えば横軸の目盛１〜100を並列接地電極数ｎが２のとき、１／αの値として用い、何れか他方、例えば縦軸の目盛0.01〜４に１を加えた値を集合係数ηの値として用いたグラフ１を用いこのグラフ１上の横軸の値100と縦軸の値１との座標点と、横軸の値１と縦軸の値２との座標点とを直線２によって接続せしめる。
【００１９】
このようにした場合ηの値は略直線状の線２に近似するようになる。
【００２０】
同様にして接地電極数ｎが３のときは、グラフ１の横軸の目盛1〜100の１／２の値を１／αの値として用い、縦軸の目盛はｎが２のときと同一とし、横軸の値10と縦軸の値1.166との座標点と、横軸の値２と縦軸の値1.545との座標点とを直線３によって接続せしめる。
【００２１】
また、電極数ｎが４のときは、グラフ１の横軸の目盛１〜100の１／３の値を１／αの値として用い、縦軸の目盛はｎが２のときと同一とし、横軸の値10と縦軸の値1.215の座標点と、横軸の値３と縦軸の値1.705との座標点とを直線４によって接続せしめる。
【００２２】
上記の直線２〜４はグラフ１上で互いに略平行となる。
【００２３】
電極数ｎが５，６・・・のときは同様にして横軸の目盛の１／３，１／４・・・の値を夫々１／αの値とすれば良い。
【００２４】
【発明の効果】
上記のように本発明のグラフ１を用いれば所望の電極数、間隔、等価半径に関連する集合係数を極めて容易に誤差なく判定できるようになる大きな利益がある。
【図面の簡単な説明】
【図１】本発明の並列接地電極の集合係数表示グラフの説明図である。
【符号の説明】
１  グラフ
２  直線
３  直線
４  直線
【図１】
2004206592.tif 000007